(57)【要約】  本発明は、熱電モジュール（ＴＨＥＲＭＯＥＬＥＣＴＲＩＣ  ＭＯＤＵＬＥ）に関し、本発明の一実施例による熱電モジュールは、熱伝達部材と冷却部材との間に位置する複数の熱電素子、そして前記熱伝達部材と前記複数の熱電素子との間および前記冷却部材と前記複数の熱電素子との間にそれぞれ位置する第１電極層および第２電極層を含み、前記複数の熱電素子は、Ｐ型熱電素子およびＮ型熱電素子を含み、互いに隣接したＰ型熱電素子とＮ型熱電素子の高さが互いに異なり、互いに隣接した前記Ｐ型熱電素子と前記Ｎ型熱電素子にかけて形成された前記第１電極層および前記第２電極層のうちから選択された一つの電極層は、少なくとも二つの折曲部を有する。
2020535661.tif 000002
【特許請求の範囲】
【請求項１】
熱伝達部材と冷却部材との間に位置する複数の熱電素子と、
前記熱伝達部材と前記複数の熱電素子との間および前記冷却部材と前記複数の熱電素子との間にそれぞれ位置する第１電極層および第２電極層とを含み、
前記複数の熱電素子は、Ｐ型熱電素子およびＮ型熱電素子を含み、互いに隣接したＰ型熱電素子とＮ型熱電素子の高さが互いに異なり、
互いに隣接した前記Ｐ型熱電素子と前記Ｎ型熱電素子にかけて形成された前記第１電極層および前記第２電極層のうちから選択された一つの電極層は、少なくとも二つの折曲部を有する熱電モジュール。
【請求項２】
前記電極層は、互いに隣接した前記Ｐ型熱電素子の上端面と前記Ｎ型熱電素子の上端面に同時に配置される、請求項１に記載の熱電モジュール。
【請求項３】
互いに隣接した前記Ｐ型熱電素子と前記Ｎ型熱電素子にかけて形成された前記電極層の厚さは均一である、請求項２に記載の熱電モジュール。
【請求項４】
前記第１電極層および前記第２電極層のうちから選択された他の一つの電極層は、前記Ｐ型熱電素子と隣接した前記Ｎ型熱電素子でない、他のＮ型熱電素子の下端面と前記Ｐ型熱電素子の下端面にかけて一つの平面上に形成される、請求項２または３に記載の熱電モジュール。
【請求項５】
前記Ｐ型熱電素子の高さが前記Ｎ型熱電素子の高さよりも低い、請求項１から４のいずれか一項に記載の熱電モジュール。
【請求項６】
前記複数の熱電素子の外部に配置され、前記複数の熱電素子を基準に互いに異なる一側に位置する第１基板および第２基板をさらに含む、請求項１から５のいずれか一項に記載の熱電モジュール。
【請求項７】
前記第１基板および前記第２基板のうちの少なくとも一つは、アルミナを含む、請求項６に記載の熱電モジュール。
【請求項８】
前記第１基板および前記第２基板のうちから選択された一つの基板は、前記少なくとも二つの折曲部を有する電極層に対応するように少なくとも二つの折曲部を有する、請求項７に記載の熱電モジュール。
【請求項９】
前記Ｐ型熱電素子と前記Ｎ型熱電素子の水平方向の長さが互いに異なる、請求項１から８のいずれか一項に記載の熱電モジュール。
【請求項１０】
前記Ｐ型熱電素子の長さが前記Ｎ型熱電素子の長さよりも長い、請求項９に記載の熱電モジュール。
【請求項１１】
前記Ｐ型熱電素子と前記Ｎ型熱電素子のうちの高さが高い熱電素子上端面に接合している絶縁体をさらに含む、請求項１から１０のいずれか一項に記載の熱電モジュール。
【請求項１２】
前記Ｐ型熱電素子と前記Ｎ型熱電素子のうちの高さが低い熱電素子と垂直方向に重なるように位置するダミー金属層をさらに含む、請求項１から１１のいずれか一項に記載の熱電モジュール。
【請求項１３】
前記Ｐ型熱電素子と前記Ｎ型熱電素子のうちの高さが高い熱電素子上端面および前記ダミー金属層上端面に接合している絶縁体をさらに含む、請求項１２に記載の熱電モジュール。
【請求項１４】
前記ダミー金属層は、前記Ｐ型熱電素子と前記Ｎ型熱電素子のうちの高さが低い熱電素子の下に位置する、請求項１２に記載の熱電モジュール。
【請求項１５】
前記ダミー金属層は、上部ダミー金属層と下部ダミー金属層を含み、前記上部ダミー金属層と前記下部ダミー金属層との間に、前記Ｐ型熱電素子と前記Ｎ型熱電素子のうちの高さが低い熱電素子が位置する、請求項１２に記載の熱電モジュール。
【発明の詳細な説明】
【技術分野】
【０００１】
関連出願の相互引用
本出願は、２０１８年８月２１日付韓国特許出願第１０−２０１８−００９７６９２号に基づいた優先権の利益を主張し、当該韓国特許出願の文献に開示された全ての内容は本明細書の一部として組み含まれる。
【０００２】
本発明は、熱電モジュールに関し、より具体的に発電効率および高温信頼性を向上させる熱電モジュールに関する。
【背景技術】
【０００３】
熱電素子は、熱エネルギーを電気エネルギーに、電気エネルギーを熱エネルギーに直接変換することに使用される素子であり、熱電特性を有する素材を活用した技術であって、エネルギー節減という時代の要求によく応じる技術である。これは自動車、宇宙航空、半導体、バイオ、光学、コンピュータ、発電、家電製品など産業全般で広範囲に活用されている。
【０００４】
具体的に、材料の両端に温度差が発生すると熱依存性を有する電子またはホールのようなキャリアの濃度差が発生し、これによって熱電現象が現れる。このような熱電現象は、電気的エネルギーを生産する熱電発電と、反対に電気供給により両端の温度差を誘発する熱電冷却／加熱に区分される。
【０００５】
熱電モジュールは、ホールが移動して熱エネルギーを移動させるＰ型熱電素子と、電子が移動して熱エネルギーを移動させるｎ型熱電素子とからなるＰ−Ｎ熱電素子の一対が基本単位になることができる。そして、このような熱電モジュールは、Ｐ型熱電素子とＮ型熱電素子との間を連結する電極を備えることができる。また、熱電モジュールは、熱電素子の外部に配置されて電極などの構成要素を外部と電気的に絶縁させ、外部の物理的または化学的要素から熱電モジュールを保護するために基板を備えることができる。
【０００６】
一般に熱電モジュール製造時に容易に熱電素子を作るために、Ｐ型熱電素子とＮ型熱電素子の高さを類似するように形成する。これは熱電素子製造過程で電極と熱電素材間の接合過程中に高温高圧の加圧過程が行われるが、この時、素材と電極の高さを合わせれば工程が容易になるためである。
【０００７】
しかし、このような場合、互いに異なる水準の電気伝導度、ゼーベック特性および熱伝導度などを示すＰ型熱電素子とＮ型熱電素子を共に用いた時に現れ得る性能低下によって、熱電素材の性能を極大化することができず、これによって熱電素子の相対的な性能低下で現れる。
【発明の概要】
【発明が解決しようとする課題】
【０００８】
本発明が解決しようとする課題は、熱電素子の特性によりＰ型熱電素子とＮ型熱電素子の高さを異なるように形成した熱電モジュールを提供することにある。
【０００９】
しかし、本発明の実施例が解決しようとする課題は、前述した課題に限定されず、本発明に含まれている技術的な思想の範囲で多様に拡張可能である。
【課題を解決するための手段】
【００１０】
本発明の一実施例による熱電モジュールは、熱伝達部材と冷却部材との間に位置する複数の熱電素子、そして前記熱伝達部材と前記複数の熱電素子との間および前記冷却部材と前記複数の熱電素子との間にそれぞれ位置する第１電極層および第２電極層を含み、前記複数の熱電素子は、Ｐ型熱電素子およびＮ型熱電素子を含み、互いに隣接したＰ型熱電素子とＮ型熱電素子の高さが互いに異なり、互いに隣接した前記Ｐ型熱電素子と前記Ｎ型熱電素子にかけて形成された前記第１電極層および前記第２電極層のうちから選択された一つの電極層は、少なくとも二つの折曲部を有する。
【００１１】
前記電極層は、互いに隣接した前記Ｐ型熱電素子の上端面と前記Ｎ型熱電素子の上端面に同時に配置されてもよい。
【００１２】
互いに隣接した前記Ｐ型熱電素子と前記Ｎ型熱電素子にかけて形成された前記電極層の厚さは均一であってもよい。
【００１３】
前記第１電極層および前記第２電極層のうちから選択された他の一つの電極層は、前記Ｐ型熱電素子と隣接した前記Ｎ型熱電素子でない、他のＮ型熱電素子の下端面と前記Ｐ型熱電素子の下端面にかけて一つの平面上に形成されてもよい。
【００１４】
前記Ｐ型熱電素子の高さが前記Ｎ型熱電素子の高さよりも低くてもよい。
前記熱電モジュールは、前記複数の熱電素子の外部に配置され、前記複数の熱電素子を基準に互いに異なる一側に位置する第１基板および第２基板をさらに含むことができる。
【００１５】
前記第１基板および前記第２基板のうちの少なくとも一つは、アルミナを含むことができる。
【００１６】
前記第１基板および前記第２基板のうちから選択された一つの基板は、前記少なくとも二つの折曲部を有する電極層に対応するように少なくとも二つの折曲部を有することができる。
【００１７】
前記Ｐ型熱電素子と前記Ｎ型熱電素子の水平方向の長さが互いに異なっていてもよい。
前記Ｐ型熱電素子の長さが前記Ｎ型熱電素子の長さよりも長くてもよい。
【００１８】
前記熱電モジュールは、前記Ｐ型熱電素子と前記Ｎ型熱電素子のうちの高さが高い熱電素子上端面に接合している絶縁体をさらに含むことができる。
【００１９】
前記熱電モジュールは、前記Ｐ型熱電素子と前記Ｎ型熱電素子のうちの高さが低い熱電素子と垂直方向に重なるように位置するダミー金属層をさらに含むことができる。
【００２０】
前記熱電モジュールは、前記Ｐ型熱電素子と前記Ｎ型熱電素子のうちの高さが高い熱電素子上端面および前記ダミー金属層上端面に接合している絶縁体をさらに含むことができる。
【００２１】
前記ダミー金属層は、前記Ｐ型熱電素子と前記Ｎ型熱電素子のうちの高さが低い熱電素子の下に位置してもよい。
【００２２】
前記ダミー金属層は、上部ダミー金属層と下部ダミー金属層を含み、前記上部ダミー金属層と前記下部ダミー金属層との間に、前記Ｐ型熱電素子と前記Ｎ型熱電素子のうちの高さが低い熱電素子が位置してもよい。
【発明の効果】
【００２３】
実施例によれば、熱電素子の性能を極大化するために、熱電素子の特性を考慮して互いに異なる高さを有する熱電素子を形成し、このような熱電素子構造を実現するために、Ｐ型熱電素子とＮ型熱電素子を電気的に連結させる電極がＰ型熱電素子とＮ型熱電素子との間で曲がったり折れた部分を有するようにして熱電モジュールの発電効率を向上させることができる。
【図面の簡単な説明】
【００２４】
【図１】本発明の一実施例による熱電モジュールを概略的に示す断面図である。
【図２】図１の実施例で素子接合時の加圧工程を説明する断面図である。
【図３ａ】図１の実施例による熱電モジュールの電極構造を示すための斜視図である。
【図３ｂ】図１の実施例による熱電モジュールの電極構造を示すための斜視図である。
【図４】本発明の他の一実施例による熱電モジュールに含まれている絶縁コーティング層を示す斜視図である。
【図５】本発明の他の一実施例による熱電モジュールに含まれている絶縁性基板構造を示す斜視図である。
【図６】本発明の他の一実施例による熱電モジュールを概略的に示す断面図である。
【図７】図６の実施例による熱電モジュールで電極構造を示すための斜視図である。
【図８】本発明の他の一実施例による熱電モジュールに含まれている絶縁コーティング層を示す斜視図である。
【図９】本発明の他の一実施例による熱電モジュールに含まれているダミー金属層と絶縁性基板構造を示す斜視図である。
【図１０】本発明の他の一実施例による熱電モジュールに含まれているダミー金属層を示す断面図である。
【図１１】本発明の他の一実施例による熱電モジュールに含まれている上下部ダミー金属層を示す断面図である。
【発明を実施するための形態】
【００２５】
以下、添付した図面を参照して本発明の多様な実施例について本発明が属する技術分野における通常の知識を有する者が容易に実施することができるように詳細に説明する。本発明は、多様な異なる形態に実現することができ、ここで説明する実施例に限定されない。
【００２６】
また、明細書全体において、ある部分がある構成要素を「含む」という時、これは特に反対になる記載がない限り、他の構成要素を除くのではなく、他の構成要素をさらに含むことができることを意味する。
【００２７】
また、明細書全体において、「平面状」という時、これは対象部分を上方から見た時を意味し、「断面状」という時、これは対象部分を垂直に切断した断面を側方から見た時を意味する。
【００２８】
図１は本発明の一実施例による熱電モジュールを概略的に示す断面図である。
図１を参照すると、本発明の一実施例による熱電モジュールは、熱伝達部材１００、熱伝達部材１００と対応する冷却部材２００、熱伝達部材１００と冷却部材２００との間に位置する複数の熱電素子１６０、２６０を含む。この時、熱電素子１６０、２６０の酸化を防止するために熱電素子自体をコーティングしたり、複数の熱電素子１６０、２６０、熱伝達部材１００および冷却部材２００は全て真空構造物内に位置することができる。
【００２９】
本実施例で複数の熱電素子１６０、２６０が互いに電気的に連結され得るように第１、２電極層１４０、２４０が形成されている。図示していないが、モジュール電極により外部端子と連結されて電気的な信号を伝達することができる。本実施例による熱電モジュールは、熱伝達部材１００と熱電素子１６０、２６０との間および冷却部材２００と熱電素子１６０、２６０との間のうちの少なくとも一つに位置する熱伝導層１０５、２０５をさらに含むことによって、熱伝達部材１００と熱電素子１６０、２６０との密着性および冷却部材２００と熱電素子１６０、２６０との密着性を高め、熱伝達効率を高めることができる。
【００３０】
熱電モジュールは、熱伝達部材１００と冷却部材２００との間の温度差を利用して発電したり電気供給により冷却／加熱される。前述した熱伝導層１０５、２０５は、より具体的に、熱伝達部材１００と第１基板１１０との間および冷却部材２００と第２基板２１０との間に位置することができる。熱伝導層１０５、２０５は、熱伝達部材１００からの熱を熱電素子１６０、２６０に伝達したり冷却部材２００に放熱させると同時に、外部からの衝撃や振動および熱電モジュール構成要素の熱膨張によるマウンティング負荷増加を緩和することができる。熱伝導層１０５、２０５は、黒鉛シート、サーマルグリース（ｔｈｅｒｍａｌ  ｇｒｅａｓｅ）およびサーマルパッド（ｔｈｅｒｍａｌ  ｐａｄ）のうちの少なくとも一つを含むことができる。
【００３１】
本発明の実施例による熱電素子集合体は、第１基板１１０、第２基板２１０、複数の電極層１４０、２４０および複数の熱電素子１６０、２６０を含む。
【００３２】
第１、２基板１１０、２１０は、板状で形成され、絶縁性を有することができ、熱電素子集合体の外側部に配置されて熱電素子１６０、２６０など熱電モジュールを構成する多様な素子を保護し、熱電素子集合体と外部との間に電気的絶縁性を維持させることができる。第１、２基板１１０、２１０は、アルミナ基板であってもよい。第１、２基板１１０、２１０を代替して絶縁層コーティングをすることもできる。
【００３３】
第１、２電極層１４０、２４０は、第１、２基板１１０、２１０上に位置し、電気伝導性を有して電流が流れることができるようにする。第１、２電極層１４０、２４０は、第１、２基板１１０、２１０の少なくとも一表面が露出されるように形成されて、熱電素子１６０、２６０が実装されてもよい。少なくとも二つの熱電素子１６０、２６０が第１電極層１４０または第２電極層２４０上に実装されてもよく、第１電極層１４０および第２電極層２４０は、これら二つの熱電素子１６０、２６０の間に電流が流れることができる経路を提供する。第１基板１１０の上面、第２基板２１０の下面に、蒸着、スパッタリング、直接圧着、プリンティングなどの方法で第１、２電極層１４０、２４０が形成されてもよく、第１基板１１０に形成された第１電極層１４０と第２基板２１０に形成された第２電極層２４０との間に熱電素子１６０、２６０が配置されてもよい。
【００３４】
第１、２電極層１４０、２４０は、伝導性物質で形成されてもよく、例えば銅、金、銀、ニッケル、アルミニウム、クロム、錫、インジウム、亜鉛などを含む群から選択される少なくとも１種の金属またはこれら金属を含む合金で形成されてもよい。
【００３５】
第１電極層１４０と第１基板１１０との間および第２電極層２４０と第２基板２１０との間にはそれぞれこれらの間の堅固な接合のための第１、２接合層１３０、２３０が位置することができる。接合層１３０、２３０は、Ｐｂ、Ａｌ、Ｎｉ、Ｓｎ、Ｃｕ、Ｔｉ、Ｍｏ、Ａｌ、Ａｇおよびこれらの合金のような金属物質を用いて形成されてもよい。
【００３６】
熱電素子１６０、２６０と第１電極層１４０との間および／または熱電素子１６０、２６０と第２電極層２４０との間には拡散防止層、素材接合層、保護層などの機能層を含む補助層１５０、２５０が位置することができる。
【００３７】
熱電素子１６０、２６０は、熱電材料、つまり、熱電半導体で構成されてもよい。熱電半導体には、カルコゲナイド系、スクッテルダイト系、シリサイド系、クラスレート系、ハーフホイスラー系など多様な種類の熱電材料が含まれてもよい。例えば、ＢｉＴｅ系物質、ＰｂＴｅ系物質などの熱電材料を適切にドーピングして用いることができる。
【００３８】
熱電素子１６０、２６０は、Ｎ型熱電素子２６０とＰ型熱電素子１６０を含み、Ｎ型熱電素子２６０は電子が移動して熱エネルギーを移動させることができ、Ｐ型熱電素子１６０はホールが移動して熱エネルギーを移動させることができる。熱電素子１６０、２６０は、Ｎ型熱電素子２６０とＰ型熱電素子１６０が対をなして一つの基本単位を構成することができる。Ｎ型熱電素子２６０および／またはＰ型熱電素子１６０は、二つ以上備わることによって、多数の対をなすことができる。また、このようなＮ型熱電素子２６０とＰ型熱電素子１６０は交互に配列されることによって多数のＮ型熱電素子２６０−Ｐ型熱電素子２６０の対を形成することもできる。
【００３９】
Ｎ型熱電素子２６０とＰ型熱電素子１６０は、第１、２電極層１４０、２４０を通じて電気的に連結されてもよい。例えば、一つの第１電極層１４０を基準に、Ｎ型熱電素子２６０は第１電極層１４０の一端に接合され、Ｐ型熱電素子１６０は第１電極層１４０の他の一端に接合されてもよい。
【００４０】
本実施例によれば、互いに異なる水準の電気伝導度、ゼーベック特性および熱伝導度などを示すＰ型熱電素子とＮ型熱電素子を共に用いた時に現れ得る性能低下を減らし、熱電モジュールの発電効率を向上させるために、Ｐ型熱電素子１６０とＮ型熱電素子２６０の高さを互いに異なるように形成する。例えば、高さが低い熱電素子が高さが高い熱電素子の８０％以下の高さを有することができる。
【００４１】
このような熱電素子構造を実現するために、図１に示すように、Ｐ型熱電素子とＮ型熱電素子を電気的に直列連結させる電極がＰ型熱電素子とＮ型熱電素子の間で曲がったり折れた部分を有することができる。具体的に、Ｐ型熱電素子１６０の高さがＮ型熱電素子２６０の高さよりも低いが、第２電極層２４０は互いに隣接したＰ型熱電素子１６０とＮ型熱電素子２６０にかけて連続的に形成されつつ、Ｐ型熱電素子１６０の上端面とＮ型熱電素子２６０の上端面に同時に配置される。第２電極層２４０がＮ型熱電素子２６０上端面からＰ型熱電素子１６０の上端面へ乗り越える時、高さの差により第２電極層２４０はＮ型熱電素子２６０の角部付近で１度折曲し、再びＰ型熱電素子１６０の角部付近で１度折曲してもよい。この時、互いに隣接したＰ型熱電素子１６０とＮ型熱電素子２６０にかけて形成された第２電極層２４０の厚さは均一であってもよい。
【００４２】
これとは逆に、Ｐ型熱電素子１６０の下端面とＮ型熱電素子２６０の下端面に位置する第１電極層１４０は、互いに隣接したＰ型熱電素子１６０の下端面とＮ型熱電素子２６０の下端面にかけて連続的に形成されつつ、Ｐ型熱電素子１６０の下端面とＮ型熱電素子２６０の下端面の高さとが同一であるため、第１電極層１４０は一つの平面上に形成されてもよい。Ｐ型熱電素子１６０を基準に図１で左側に隣接したＮ型熱電素子２６０方向に第２電極層２４０が連続的に形成されているならば、右側に隣接したＮ型熱電素子２６０方向に第１電極層１４０は連続的に形成されてもよい。
【００４３】
Ｐ型およびＮ型熱電素子の高さを共に減らすようになると、総抵抗が減少し、出力が大きく増加し、出力密度の利得も大きくなり得る。しかし、温度差の形成が難しく、結果的に熱電素子効率が低くなり得る。しかし、本実施例によれば、Ｐ型熱電素子とＮ型熱電素子の高さを互いに異なるようにして熱伝達効率が高くなるように素子を作製することによって出力密度と素子効率、素材消耗率および素子価格の側面から有利な素子デザインを実現することができる。具体的に、Ｎ型熱電素材の場合、電気伝導度（Ｅｌｅｃｔｒｉｃａｌ  ｃｏｎｄｕｃｔｉｖｉｔｙ）が大きいため、素材が長くても抵抗が小さく、熱伝導度（Ｔｈｅｒｍａｌ  ｃｏｎｄｕｃｔｉｖｉｔｙ）も大きいため、大きい高さを有することで温度差が大きく発生する。しかし、Ｐ型熱電素材の場合、電気伝導度が小さいため、高さが低いことでＮ型熱電素材と抵抗水準が類似になり、総抵抗減少に大きく有利になり、熱伝導度も小さいため、高さが低くても熱電特性を実現するための温度差が大きく発生することができる。
【００４４】
前述したとおり、Ｐ型熱電素子１６０とＮ型熱電素子２６０の特性を考慮して各熱電素子の高さを互いに異なるように形成するだけでなく、最大出力形成のために熱電素子の長さも互いに異なるように形成することができる。ここで長さとは、水平方向への長さ、つまり、第１電極層１４０が互いに隣接したＰ型熱電素子１６０とＮ型熱電素子２６０にかけて連続的に形成される時、Ｐ型熱電素子１６０からＮ型熱電素子２６０まで第１電極層１４０が形成される方向に沿って定義される長さをいう。Ｐ型熱電素子１６０の長さはＮ型熱電素子２６０の長さよりも長くてもよい。
【００４５】
図２は図１の実施例で素子接合時の加圧工程を説明する断面図である。
図２を参照すると、本発明の一実施例による熱電モジュールを製造する時、前述したとおり、Ｐ型熱電素子１６０とＮ型熱電素子２６０の高さの差により熱電素子と電極の接合に困難がある。このような問題を解消するために、本実施例による熱電モジュール製造時、図２に示したとおり、一方向に突出した複数の突起１１００を有する枠１０００を用いて高温加圧工程を行うことができる。ここで、枠１０００は、高さが低いＰ型熱電素子１６０に対応するように複数の突起１１００を有することができ、突起１１００は、高温加圧工程時にＰ型熱電素子１６０の上端面に位置する第２電極層２４０を直接加圧することができる。
【００４６】
図３は図１の実施例による熱電モジュールで電極構造を示すための斜視図である。図３ａは第１電極層１４０の上に熱電素子１６０、２６０が実装された様子を示し、図３ｂは実装された熱電素子１６０、２６０の上に第２電極層２４０まで形成された様子を示す斜視図である。
【００４７】
図３ａおよび図３ｂを参照すると、Ｎ型熱電素子２６０とＰ型熱電素子１６０が対をなして一つの基本単位が、複数個形成されて基本単位が連結された構造の一例を示している。図３ｂに示された矢印のように電流が生成されて流れることができる。図３ａおよび図３ｂに示す熱電素子１６０、２６０の連結構造は一つの例示に過ぎず、基本単位が連結された構造は多様に変形され得る。
【００４８】
図４は本発明の他の一実施例による熱電モジュールに含まれている絶縁コーティング層を示す斜視図である。
【００４９】
図４を参照すると、第１電極層１４０および第２電極層２４０上に絶縁コーティング層１３５、２３５が形成されて図１で説明した第１基板１１０と第２基板２１０を代替することができる。絶縁コーティング層１３５、２３５は絶縁体であり、絶縁コーティング層１３５、２３５は熱電モジュール外部の熱源／冷却部材への漏洩電流形成を抑制することができる。
【００５０】
図５は本発明の他の一実施例による熱電モジュールに含まれている絶縁性基板構造を示す斜視図である。
【００５１】
図５を参照すると、本実施例による第２基板２１０は、図１で説明した第２基板２１０とは異なり、板状型でなく、折曲構造を有する。言い換えると、折曲構造を有する第２電極層２４０上に形成された第２基板２１０も二つの折曲部を有しつつ、第２電極層２４０に密着するように形成されてもよい。図５で説明の便宜上、Ｐ型熱電素子１６０上端の第２電極層２４０の上にのみ第２基板２１０を示したが、第２基板２１０が延長されてＮ型熱電素子２６０上端の第２電極層２４０の上も第２基板２１０で覆われてもよい。
【００５２】
図６は本発明の他の一実施例による熱電モジュールを概略的に示す断面図である。図７は図６の実施例による熱電モジュールで電極構造を示すための斜視図である。
【００５３】
図６および図７を参照すると、図１および図３で説明した実施例とほぼ同一であるが、本実施例による電池モジュールは、高さが低いＰ型熱電素子１６０と垂直方向に重なるように位置するダミー金属層３００をさらに含む。ダミー金属層３００は、第２基板２１０と第２電極層２４０との間に位置することができる。ダミー金属層３００と第２電極層２４０との間に接合層３１０が形成されてもよい。接合層３１０は、第２電極層２４０にダミー金属層３００を付着するためのものであり、Ｐｂ、Ａｌ、Ｎｉ、Ｓｎ、Ｃｕ、Ｔｉ、Ｍｏ、Ａｌ、Ａｇおよびこれらの合金のような金属物質を用いて形成されてもよい。
【００５４】
ダミー金属層３００は、Ｐ型熱電素子１６０の個数と同一の個数で複数個が形成されたりＰ型熱電素子１６０の個数よりも少ない個数で形成されてもよい。出力を極大化するためには、抵抗は小さく、温度差は大きくなければならないが、ダミー金属層３００を用いない場合に備えてダミー金属層３００を用いる場合、折曲した電極構造の電気回路内にダミー金属層３００が入らないため、総抵抗はそのままであるが、熱源から熱を伝達する熱流れ経路は追加される。したがって、ダミー金属層３００を用いない時に備えて、最小化されている総抵抗を維持しつつも温度差を大きくして出力を極大化させることができる。
【００５５】
図８は本発明の他の一実施例による熱電モジュールに含まれている絶縁コーティング層を示す斜視図である。
【００５６】
図８を参照すると、第１電極層１４０および第２電極層２４０上に絶縁コーティング層１３５、２３５が形成されて図１で説明した第１基板１１０と第２基板２１０を代替することができる。ここで、絶縁コーティング層２３５は、ダミー金属層３００の上にも形成されてもよい。絶縁コーティング層２３５は絶縁体であってもよい。
【００５７】
図９は本発明の他の一実施例による熱電モジュールに含まれているダミー金属層と絶縁性基板構造を示す斜視図である。
【００５８】
図９を参照すると、本実施例による第２基板２１０は、図１で説明した第２基板２１０とは異なり、板状型でなく、折曲構造を有する。言い換えると、折曲構造を有する第２電極層２４０上に形成された第２基板２１０も二つの折曲部を有し、第２電極層２４０に密着するように形成されてもよい。この時、ダミー金属層３００は、第２基板２１０の上に形成されてもよい。
【００５９】
図１０は本発明の他の一実施例による熱電モジュールに含まれているダミー金属層を示す断面図である。図１１は本発明の他の一実施例による熱電モジュールに含まれている上下部ダミー金属層を示す断面図である。
【００６０】
図１０を参照すると、図１０の実施例は図６の変形例であり、ダミー金属層３０２は図６の実施例とは異なり、Ｐ型熱電素子１６２よりも熱伝達部材１００に近く位置する。
【００６１】
図１１を参照すると、図１１の実施例は図１０の変形例であり、ダミー金属層は上部ダミー金属層３０６と下部ダミー金属層３０４を含み、上部ダミー金属層３０６と下部ダミー金属層３０４との間に高さが低いＰ型熱電素子１６４が位置する。
【００６２】
図１０および図１１で説明した実施例は、ダミー金属層の種類、本図面には示されていないが接合素材の種類、隣接した構成要素との熱膨張係数マッチング、接合強度および接合特性、熱電素材を除いた他の構成要素の熱安定性などにより誘導され得る構造である。
【００６３】
以上で本発明の好ましい実施例について詳細に説明したが、本発明の権利範囲はこれに限定されるのではなく、特許請求の範囲で定義している本発明の基本概念を利用した当業者の多様な変形および改良形態も本発明の権利範囲に属する。
【符号の説明】
【００６４】
１００：熱伝達部材
１４０：第１電極層
２４０：第２電極層
１６０、１６２、１６４：Ｐ型熱電素子
２６０：Ｎ型熱電素子
２００：冷却部材
３００、３０２：ダミー金属層
【図１】
2020535661.tif 000003
【図２】
2020535661.tif 000004
【図３ａ】
2020535661.tif 000005
【図３ｂ】
2020535661.tif 000006
【図４】
2020535661.tif 000007
【図５】
2020535661.tif 000008
【図６】
2020535661.tif 000009
【図７】
2020535661.tif 000010
【図８】
2020535661.tif 000011
【図９】
2020535661.tif 000012
【図１０】
2020535661.tif 000013
【図１１】
2020535661.tif 000014
【手続補正書】
【提出日】令和2年3月27日(2020.3.27)
【手続補正１】
【補正対象書類名】図面
【補正対象項目名】図１０
【補正方法】変更
【補正の内容】
【図１０】
2020535661.tif 000015
【手続補正２】
【補正対象書類名】図面
【補正対象項目名】図１１
【補正方法】変更
【補正の内容】
【図１１】
2020535661.tif 000016
【国際調査報告】
2020535661.tif 000017
2020535661.tif 000018
2020535661.tif 000019
2020535661.tif 000020